(57)【要約】コンデンサ本体と、コンデンサ本体を保持する座板とを具備し、コンデンサ本体は、円柱状のケースを具備し、ケースは、筒部と筒部の一方の端部を閉じる底壁とを有し、筒部の他方の端部は封口部材で閉じられ、かつ座板側に配置されており、座板は、基部と基部から筒部の周面に沿って延びる支持壁とを有し、筒部は、封口部材と接触する部位に封口部材側に凹んだ環状の凹部を有し、かつ環状の凹部よりも底壁側の第１最大径部と環状の凹部よりも開口端部側の第２最大径部とを有し、第１最大径部の直径Ａと第２最大径部の直径Ｂと支持壁の内径Ｃとが、コンデンサ本体が座板に装着されていない状態でＡ＞Ｃ＞Ｂを満たす、座板付きコンデンサ。
2019189160.tif 000002
【特許請求の範囲】
【請求項１】
コンデンサ本体と、
前記コンデンサ本体を保持する座板と、を具備し、
前記コンデンサ本体は、円柱状のケースを具備し、
前記ケースは、筒部と、前記筒部の一方の端部を閉じる底壁と、を有し、
前記筒部の他方の端部は、封口部材で閉じられ、かつ前記座板側に配置されており、
前記座板は、基部と、前記基部から前記筒部の周面に沿って延びる支持壁と、を有し、
前記筒部は、前記封口部材と接触する部位に、前記封口部材側に凹んだ環状の凹部を有し、かつ前記環状の凹部よりも前記底壁側の第１最大径部と、前記環状の凹部よりも前記開口端部側の第２最大径部と、を有し、
前記第１最大径部の直径Ａと、前記第２最大径部の直径Ｂと、前記支持壁の内径Ｃとが、前記コンデンサ本体が前記座板に装着されていない状態で、Ａ＞Ｃ＞Ｂを満たす、座板付きコンデンサ。
【請求項２】
前記座板の基部の外面から前記第１最大径部までの距離Ｅと、前記第１最大径部から前記支持壁の先端までの距離Ｆとが、０．１≦Ｆ／Ｅ≦１．０満たす、請求項１に記載の座板付きコンデンサ。
【請求項３】
前記コンデンサ本体が前記座板に装着されていない状態で、前記内径Ｃは、前記支持壁の先端側において、より小さい、請求項１または２に記載の座板付きコンデンサ。
【請求項４】
前記支持壁が、２つ以上の支柱を有し、
前記コンデンサ本体の軸方向に垂直な前記支持壁の断面において、前記２つ以上の支柱が前記断面の中心に対して点対称に配置されている、請求項１〜３のいずれか１項に記載の座板付きコンデンサ。
【請求項５】
前記支持壁が、偶数個の支柱を有し、
前記コンデンサ本体の軸方向に垂直な前記支持壁の断面において、前記偶数個の支柱がそれぞれ別の前記支柱と正対するように配置されている、請求項１〜３のいずれか１項に記載の座板付きコンデンサ。
【請求項６】
前記直径Ａが、１０ｍｍ以下である、請求項１〜５のいずれか１項に記載の座板付きコンデンサ。
【発明の詳細な説明】
【技術分野】
【０００１】
本発明は、耐震性を考慮した座板付きコンデンサに関する。
【背景技術】
【０００２】
コンデンサ本体およびこれを保持する座板を具備するコンデンサ（以下、座板付きコンデンサと称する。）は、表面実装などの用途に幅広く用いられている。円柱状のコンデンサ本体は、その軸方向が実装面と交差するように実装される。このようなコンデンサと実装面との接続状態を良好に維持するには、コンデンサに高度な耐振動性が要求される。【０００３】
特許文献１は、絶縁性支持体を備えた電子部品において、電子部品の直径ｃ、支持体の部品支持空間の下端の長さｓ１および上端の長さｓ２に、ｓ１＜ｃ＜ｓ２の条件を満足させることを提案している。【０００４】
特許文献２は、面実装型コンデンサにおいて、座板の側壁の内側面のコンデンサ本体の中心軸に最も近い個所に、コンデンサ本体の外周面を押圧する２つの接触部を有する態様を提案している。
【先行技術文献】
【特許文献】
【０００５】
【特許文献１】特開２００８−１３０７７４号公報
【特許文献２】特開２０１６−０７６６００号公報
【発明の概要】
【発明が解決しようとする課題】
【０００６】
コンデンサの小型化に伴い、高度な耐振動性を確保するための設計が困難になりつつある。
【課題を解決するための手段】
【０００７】
本発明の一側面は、コンデンサ本体と、前記コンデンサ本体を保持する座板と、を具備し、前記コンデンサ本体は、円柱状のケースを具備し、前記ケースは、筒部と、前記筒部の一方の端部を閉じる底壁と、を有し、前記筒部の他方の端部は、封口部材で閉じられ、かつ前記座板側に配置されており、前記座板は、基部と、前記基部から前記筒部の周面に沿って延びる支持壁と、を有し、前記筒部は、前記封口部材と接触する部位に、前記封口部材側に凹んだ環状の凹部を有し、かつ前記環状の凹部よりも前記底壁側の第１最大径部と、前記環状の凹部よりも前記開口端部側の第２最大径部と、を有し、前記第１最大径部の直径Ａと、前記第２最大径部の直径Ｂと、前記支持壁の内径Ｃとが、前記コンデンサ本体が前記座板に装着されていない状態で、Ａ＞Ｃ＞Ｂを満たす、座板付きコンデンサに関する。
【発明の効果】
【０００８】
本発明によれば、耐振動性に優れた簡易な構成の座板付きコンデンサを提供することができる。
【図面の簡単な説明】
【０００９】
【図１】本発明の一実施形態に係る座板付きコンデンサの座板だけを断面にした模式図である。
【図２】コンデンサ本体が装着される前の座板の上面図である。
【図３】同座板を向かって右側から見た側面図である。
【図４】図２の座板のIV−IV線断面図である。
【図５】同座板の下面図である。
【図６】座板付きコンデンサの座板を断面にしてコンデンサ本体の端子を示す別の模式図である。
【発明を実施するための形態】
【００１０】
本発明の一実施形態に係る座板付きコンデンサは、コンデンサ本体と、コンデンサ本体を保持する座板とを具備する。コンデンサ本体は、円柱状のケースを具備する。円柱状のケース内にはコンデンサ素子が収容されている。特に限定されないが、円柱状のケースを具備するコンデンサ本体は、通常、捲回型コンデンサ素子を具備する。逆に、捲回型コンデンサ素子を具備するコンデンサ本体のケースは、通常、円柱状と見なせる。ケース内には、必要に応じて、電解質塩を含み得る液体が収容されている。
【００１１】
コンデンサ本体の種類は、特に限定されないが、いわゆるアルミニウム電解コンデンサ、タンタル電解コンデンサ、固体電解質を具備する固体電解コンデンサ、ハイブリッド電解コンデンサなどが例示され得る。
【００１２】
円柱状には略円柱状が含まれる。すなわちケースは、厳密な意味における円柱状である必要はなく、コンデンサ本体の軸方向（以下、Ｚ方向と称する。）に垂直な断面（例えば高さ方向の中央における断面）が、略円形であれば円柱状であると見なされる。略円形とは、例えば円形度が０．９５以上、好ましくは０．９９以上の形状である。なお、以下、Ｚ方向に垂直な断面をＸＹ断面と称する。
【００１３】
ケースは、筒部と、筒部の一方の端部を閉じる底壁とを具備する。筒部の他方の端部（以下、開口端部と称する。）は封口部材で閉じられ、座板側に配置される。筒部は、封口部材と接触する部位に、封口部材側に凹んだ環状の凹部を有する。環状の凹部は、封口部材をケースに固定するための筒部の絞り、開口端部のかしめ（カール）などの加工により形成される。円柱状のケースは、一般に有底金属缶として供給される。有底金属缶は、アルミニウム、アルミニウム合金、ステンレス鋼などの金属で形成され得る。有底金属缶の外表面には、所望の機能を有する表層（例えば酸化物層）を形成してもよい。
【００１４】
座板は、基部（もしくは底部）と、基部からケースの筒部の周面に沿って延びる支持壁とを有する。支持壁は、概ねＺ方向に延びていればよい。支持壁の形状は、特に限定されず、支持壁の高さも一様である必要はない。コンデンサ本体の装着の容易さを確保したり、異極性の端子の区別を容易化したりする観点から、支持壁が全体として非対称な形状を有してもよい。支持壁の高さを、支持壁の部位によって異ならせてもよい。
【００１５】
ケースの筒部は、環状の凹部よりも底壁側の第１最大径部と、環状の凹部よりも開口端部側の第２最大径部とを有する。すなわち、筒部の直径は、Ｚ方向に沿って一様とするのではなく、僅かに変化させることが必要である。
【００１６】
第１最大径部とは、環状の凹部よりも底壁側において、円形もしくは略円形のＸＹ断面の直径（略円形の場合は最大直径）が最大となる部位である。一方、第２最大径部の直径Ｂとは、環状の凹部よりも開口端部側において、円形もしくは略円形のＸＹ断面の直径（略円形の場合は最大直径）が最大となる部位である。
【００１７】
環状の凹部よりも底壁側において、円形もしくは略円形のＸＹ断面の直径（略円形の場合は最大直径）が最小となる部位（筒部と底壁との境界を除く）を最小径部と定義するとき、第１最大径部の直径Ａと最小径部の直径Ｄとは、例えば１．０≦Ａ／Ｄ≦１．１を満たしている。
【００１８】
ここで、第１最大径部の直径Ａと、第２最大径部の直径Ｂと、支持壁の内径Ｃとは、コンデンサ本体が座板に装着されていない状態で、Ａ＞Ｃ＞Ｂを満たす。Ａ＞Ｃを満たすことにより、ケースの筒部の第１最大径部は、座板の支持壁から十分に大きな圧力（外力）を受けるとともに適度なアンカー効果が得られる。よって、座板付きコンデンサの耐振動性が顕著に高められる。また、第１最大径部が支持壁の内面に係合するアンカー効果があるため、座板に高度な寸法精度は求められない。一方、Ｃ＞Ｂを満たすことにより、コンデンサ本体の座板への装着が容易になる。
【００１９】
支持壁の内径Ｃとは、支持壁の第１最大径部と接触する係合位置において測定される内径である。支持壁の内径は、上記係合位置において、支持壁の互いに正対する部位の内面間の距離を測定することにより求められる。そのような内面間の距離は、ＸＹ断面において中心角が角度的に等しくなるように９０°毎に４箇所測定し、それらの平均値として求めればよい。
【００２０】
支持壁の一部と別の一部とが正対するとは、支持壁のＸＹ断面において、支持壁の一部と別の一部とが、当該断面の中心を介して１７０〜１９０°の角度で対峙することを意味する。
【００２１】
コンデンサ素子は、陽極部材と、陰極部材と、陽極部材と陰極部材との間に介在するセパレータと、陽極部材に電気的に接続された陽極リード線と、陰極部材に電気的に接続された陰極リード線とを具備する。捲回型コンデンサ素子の場合、板状の陽極部材と板状の陰極部材とがセパレータを介して渦巻き状に捲回されている。
【００２２】
コンデンサ本体の開口端部側の端面からは、通常、陽極リード線と陰極リード線とが導出されている。座板の基部には、各リード線を挿通させる貫通孔、各リード線を格納する溝などを形成してもよい。具体的には、座板の基部は、例えば陽極リード線が挿通する第１貫通孔、陰極リード線が挿通する第２貫通孔、第１貫通孔の周囲から基部の外面に沿って設けられた第１溝および第２貫通孔の周囲から基部の外面に沿って設けられた第２溝を有してよい。このとき、陽極リード線および陰極リード線は、それぞれ座板に沿って折り曲げられ、第１溝および第２溝に沿って配置される。
【００２３】
次に、座板の基部の外面から直径Ａを有する第１最大径部までの距離Ｅと、第１最大径部から支持壁の先端までの距離Ｆとは、０．１≦Ｆ／Ｅ≦１．０を満たすことが好ましい。ここで、支持壁の先端とは、座板の基部の外面からの高さが最大の部分の支持壁の先端である。ただし、座板の基部の外面からの高さが最小の部分の支持壁においても、第１最大径部との係合が形成されることが望ましい。
【００２４】
Ｆ／Ｅ比を０．１以上にすることで、振動に対する支持壁の耐久性が高められ、本体の座板への装着の安定性が増強される。一方、Ｆ／Ｅ比を１．０以下とすることで、支持壁自身の振動が抑制され、座板付きコンデンサの実装面への装着の安定性が増強される。支持壁が高すぎると、座板とコンデンサとのバランスが損なわれ、振動に対する耐久性が低下し、不安定な状態が発生し得る。支持壁の耐久性と実装面への装着の安定性とを更にバランスよく維持するには０．２≦Ｆ／Ｅ≦０．９を満たすことが好ましく、０．３≦Ｆ／Ｅ≦０．８を満たすことがより好ましい。
【００２５】
支持壁の内径Ｃは、コンデンサ本体が座板に装着されていない状態では、支持壁の先端側をより小さくしてもよい。これにより、支持壁自身の振動が顕著に抑制される。また、コンデンサ本体が、支持壁からより大きな圧力（外力）を受けるとともに、より大きなアンカー効果が発現する。よって、座板付きコンデンサの耐振動性が大きく高められる。
【００２６】
このとき、支持壁の先端における内径Ｃ１は、コンデンサ本体の座板への装着の容易さを損なわないように、コンデンサ本体が座板に装着されていない状態でＣ１＞Ｂを満たせばよい。なお、ここでの支持壁の先端とは、基部の外面からの高さが最小の部位における支持壁の先端である。高さが最小の部位と、これに正対する部位との距離が内径Ｃ１である。
【００２７】
支持壁の内径Ｃが先端側で、より小さくなる場合、Ｚ方向と支持壁とが成す角度θは、１°以上１０°以下であることが好ましい。ここで、角度θは、Ｚ方向と、支持壁の先端近傍の最もコンデンサ本体の軸に近い位置から支持壁の根元近傍の内面のコンデンサ本体の軸から最も遠い位置とを結ぶ直線とが成す角度である。
【００２８】
支持壁は、どのような構成でもよいが、例えば２つ以上の支柱を有する支持壁が好ましい。２つ以上の支柱の形状は、互いに相違してもよく、各支柱自体が非対称形状でもよい。
【００２９】
支持壁が２つ以上の支柱を有する場合、支持壁のＸＹ断面において、２つ以上の支柱は、当該ＸＹ断面の中心に対して点対称もしくは略点対称に配置されていることが好ましい。略点対称とは、例えば上記中心に対して各支柱の重心が角度的に等価な位置に存在することをいう。隣接する支柱の重心同士が成す中心角は、支柱数をｎとするとき、３６０／ｎ度であることが好ましい。支柱数は、例えば２〜１０であればよい。本体の座板への装着の安定性と座板の製造の容易さのバランスを考慮すると、支柱数は、２、３または４が好ましい。
【００３０】
支持壁が、偶数個の支柱を有する場合、支持壁のＸＹ断面において、偶数個の支柱がそれぞれ別の支柱と正対するように配置されていることが好ましい。
【００３１】
支持壁は、コンデンサ本体の開口端部側の部位と嵌合する筒状であってもよい。換言すれば、支持壁は、筒状の中空を有する枠状であってもよい。この場合、コンデンサ本体の開口端部側の部位の周面を、全周にわたって支持壁で支持できる。筒状の支持壁は、コンデンサ本体の座板への装着の安定性を顕著に高めることができるため、耐振動性が大きく向上する。
【００３２】
本実施形態に係る構成は、コンデンサ本体の直径Ａが１０ｍｍ以下、更には８ｍｍ以下である小型の座板付きコンデンサにおいて特に有効である。近年のコンデンサの小型化の進行に伴い、座板付き小型コンデンサにおいて高い耐振動性が望まれるようになってきている。従来、小型コンデンサは、大型コンデンサほどには振動の影響を受けないと考えられていた。しかし、コンデンサの小型化に伴い、コンデンサの端子が小さくなると、端子の曲げ加工にばらつきなどが生じやすくなる。そのため、基板に実装される小型コンデンサが振動の影響を受けやすくなってきている。例えば、曲げ加工された端子の亀裂もしくは破断が生じ得る。これに対し、上記のような構成によれば、小型コンデンサでも耐振動性を大幅に向上させ得る。なお、コンデンサ本体の直径Ａの下限は、例えば３ｍｍ程度である。
【００３３】
ケースの筒部の第１最大径部の直径Ａと、コンデンサ本体と座板とを組み合わせた後の座板付きコンデンサの総高さＨとの関係は、特に限定されないが、Ｈ／Ａ比は、例えば０．５以上２．０以下の範囲内である。ここで、Ｈ／Ａ比が１以上（特に１．４以上）の場合、コンデンサは振動の影響を受けやすくなる。上記のような構成によれば、Ｈ／Ａ比が１以上の場合においても、コンデンサの耐振動性を高めることができる。
【００３４】
Ｈ／Ａ比が１以上の場合、座板の基部の外面から直径Ａを有する第１最大径部までの距離Ｅと、座板付きコンデンサの総高さＨとの関係については、Ｅ／Ｈ比が、０．２以上０．５以下が好ましく、コンデンサの耐振動性を更に高めることができる。
【００３５】
また、座板の基部の外面から直径Ａを有する第１最大径部までの距離Ｅおよび第１最大径部から支持壁の先端までの距離Ｆの和（Ｅ+Ｆ）と、座板付きコンデンサの総高さＨと
の関係については、（Ｅ+Ｆ）／Ｈ比が、０．３以上０．７以下が好ましく、コンデンサ
の耐振動性を更に高めることができる。このとき、Ｆ／Ｅは１より大きくてもよいが、０．１≦Ｆ／Ｅ≦１．０の範囲とすることで、より耐振動性を高めることができる。
【００３６】
支持壁の厚さは、座板の大きさに規制される。座板の基部のＺ方向への投影面積は、コンデンサ本体（もしくはケース）のＺ方向への投影面積の１００％よりも大きく、かつ１５０％以下が好ましい。多くの場合、基部の投影面積は矩形もしくは略矩形であり、その四隅に支持壁を構成する４つの支柱が設けられる。よって、支柱の最大厚さは、コンデンサ本体の投影面積からはみ出た基部の四隅の最大幅未満が好ましい。略矩形とは、周囲長の少なくとも５０％が直線状部であり、かつ直線状部が少なくとも４つの線分を含み、４つの線分が互いに平行な２つの線分を２対含み、一方の対と他方の対とが８５〜９５度の角度で交わっている形状をいう。また、図２のように、四隅の少なくとも一部が面取り、もしくはＲ加工されていてもよい。
【００３７】
以下、本発明の実施形態に係る座板付きコンデンサについて、図面を参照しながら具体的に説明するが、本発明は、これに限定されるものではない。
【００３８】
図１は、本実施形態に係る座板付きコンデンサ３０の座板２０だけを断面にした模式図である。座板付きコンデンサ３０は、コンデンサ本体１０と、これを保持する座板２０とを具備する。コンデンサ本体１０が装着される前の座板２０の上面図を図２に示す。図１の座板２０の断面は、図２におけるＩ−Ｉ線断面に相当する。図３は、図２の座板２０を向かって右側から見た側面図である。図４は、図２のIV−IV線断面図である。図５は、座板２０の下面図である。図６は、座板付きコンデンサ３０の座板２０を断面にした別の模式図であり、図４の座板２０にコンデンサ本体１０が装着され、コンデンサ本体１０の端子が基部の貫通孔に挿入された状態を示している。
【００３９】
コンデンサ本体１０は、円柱状のケース１００を具備する。ケース１００は、筒部１１１と、筒部１１１の一方の端部を閉じる底壁１１２とを有する有底金属缶である。筒部１１１の他方の開口端部は、封口部材（図示せず）で閉じられている。コンデンサ本体１０は、開口端部側の部位が座板２０に装着されている。
【００４０】
座板２０は、基部２１と、基部２１からケース１００の筒部１１１の周面に沿って延びる支持壁２２とを有する。
【００４１】
筒部１１１の開口端部の付近には、開口端部を封口部材で閉じる際の加工により環状の凹部１０３が形成されている。筒部１１１の凹部１０３よりも底壁１１２側の部位には、第１最大径部１０４が存在し、筒部１１１の凹部１０３よりも開口端部側の部位には、第２最大径部１０５が存在する。第１最大径部１０４は、支持壁２２と最初の接点を形成する。
【００４２】
第１最大径部１０４の直径Ａと、第２最大径部１０５の直径Ｂと、支持壁２２の内径Ｃは、コンデンサ本体１０が座板２０に装着されていない状態では、Ａ＞Ｃ＞Ｂの関係を満たしている。この場合、筒部１１１の凹部１０３よりも開口端部側の部位は、第２最大径部１０５も含めて、支持壁２２との間に隙間を有する。また、支持壁２２の部材にも依存するが、筒部１１１の第１最大径部１０４よりも底壁１１２側の部位は、支持壁２２との間に隙間を形成し得る。
【００４３】
上記構成では、第１最大径部１０４が支持壁２２から十分に大きな圧力（外力）を受けるため、コンデンサ本体１０の耐振動性は顕著に高められる。しかし、支持壁２２の先端部とケース１００との間に隙間が形成され得るため、支持壁２２自身の振動を抑制することが重要となる。この点、座板２０の基部２１の外面２１Ｓから第１最大径部１０４までの距離Ｅと第１最大径部１０４から支持壁２２の先端２２Ｔまでの距離Ｆが、０．１≦Ｆ／Ｅ≦１.０を満たすことで、支持壁２２自身の振動も顕著に抑制される。
【００４４】
座板２０の上面図である図２が示すように、支持壁２２は、支持壁２２のＸＹ断面の中心ＣＰに対して略点対称に配置された４つの支柱２２ａ〜ｄを具備する。隣接する支柱の重心同士が成す中心角は、概ね９０度である。上面図で見た場合、４つの支柱２２ａ〜ｄそれぞれの形状は非対称であるが、２つの対称面を有することが理解できる。図２および下面図である図５が示すように、座板２０の基部２１は、異極性の端子を容易に区別できるように左右非対称の略矩形である。
【００４５】
４つの支柱２２ａ〜ｄのうち、２つの支柱２２ｃ、２２ｄは、別の２つの支柱２２ａ、２２ｂに比べて高さが短く、コンデンサ本体１０の装着の容易さが確保されている。このように支柱の高さが異なる場合、第１最大径部１０４から高さが長い２つの支柱２２ａまたは２２ｂの先端までの距離が、距離Ｆである。また、高さが短い支柱２２ｃまたは２２ｄと、これに正対する高さが長い支柱２２ａまたは２２ｂとの所定の距離が、内径Ｃである。
【００４６】
コンデンサ本体１０が装着されていない状態で、支持壁２２の内径Ｃは、支持壁２２の先端２２Ｔに近づくほど僅かに小さくなる場合がある。すなわち、Ｚ方向に沿って支持壁２２の内径Ｃは一様ではない。内径Ｃは、支持壁２２の第１最大径部１０４と接触する係合位置において測定される。
【００４７】
基部２１には、コンデンサ本体１０が具備する陽極リード線１１および陰極リード線１２を挿通させる第１貫通孔２１ｈａおよび第２貫通孔２１ｈｃが設けられている。また、基部２１の外面２１Ｓにおいて、第１貫通孔２１ｈａおよび第２貫通孔２１ｈｃの周囲には、それぞれ第１溝２１ｇａおよび第２溝２１ｇｃが設けられている。
【００４８】
陽極リード線１１および陰極リード線１２は、小型コンデンサでは、いずれも薄い（例えば０．７ｍｍ以下の厚みの）基部２１内で大きな曲率で折り曲げられる。図示例では、折り曲げを容易にするために陽極リード線１１および陰極リード線１２の屈曲部に切り込み１１ａ、１２ａが設けられている。陽極リード線１１および陰極リード線１２は、線状部材から形成されている。線状部材の屈曲部の切り込み１１ａ、１２ａを境界として線状部材が押し潰され、平坦な実装部１１ｂ、１２ｂが形成されている。このように曲げ加工された陽極リード線１１および陰極リード線１２は振動の影響を受けやすいため、耐振動性を向上させる必要性が大きい。
【００４９】
封口部材は、絶縁性物質であればよい。絶縁性物質としては弾性体が好ましい。ゴムなどの弾性体を含む封口部材を用いることで、高い封止性を確保することができる。高い耐熱性が得られ易い観点からは、シリコーンゴム、フッ素ゴム、エチレンプロピレンゴム、クロロスルホン化ポリエチレンゴム（ハイパロンゴムなど）、ブチルゴム、イソプレンゴムなどが好ましい。
【００５０】
以下、本発明を実施例および比較例に基づいて具体的に説明するが、本発明は以下の実施例に限定されるものではない。
【００５１】
（実施例１）
本実施例では、定格電圧３５Ｖ、定格静電容量６８μＦ、直径Ａ＝６．５ｍｍ、直径Ｂ＝６．３ｍｍ、座板付きコンデンサの総高さＨ８．０ｍｍを有し、ブチルゴム製の封口部材で開口端部が閉じられた捲回型の電解コンデンサＡ１を作製した。
【００５２】
ここでは、高さが長い２つのマイナス側の支柱と高さが短い２つのプラス側の支柱（合計４つの支柱）を具備する支持壁を有する内径Ｃ＝６．４ｍｍの座板を用いた。基部の外面から高さが長い支柱の先端（先端２２Ｔ）までの距離（Ｅ＋Ｆ１）は４．５ｍｍであり、基部の外面から高さが短い支柱の先端２２ｔまでの距離（Ｅ＋Ｆ２）は３．７ｍｍである。
【００５３】
（耐振動性の評価）
電解コンデンサを座板に固定し、更に座板を振動板に固定し、振動数範囲５〜２０００Ｈｚ、最大振幅５．０ｍｍ、振幅加速度２９４ｍ／ｓ2の正弦波を振動板に与える振動試
験を実施した。振動試験は、コンデンサの長軸方向（Ｚ方向）と、これに互いに垂直な２方向（Ｘ方向およびＹ方向）においてそれぞれ実施した。各振動時間を２時間とした。その後、外観の状態と容量変化率を確認した。陽極リード線および陰極リード線に亀裂が生じ、座板付きコンデンサ自体が基板から外れてしまう場合は×、陽極リード線および陰極リード線に亀裂等が確認された場合は△、それ以外の場合を○と評価した。また、容量変化率は、（試験後の容量）／（初期容量）の比で表した。結果を表１に示す。
【００５４】
（嵌合力の評価）
陽極リード線および陰極リード線を座板に固定せず、コンデンサ本体を座板に嵌合させる際の座板にコンデンサ本体を押し込む力のピーク値をデジタルフォースゲージにて測定し、コンデンサ本体と座板との嵌合力とした。電解コンデンサと座板との単位接触長さ（ｍｍ）あたりの嵌合力として、結果を表１に示す。
【００５５】
【表１】
2019189160.tif 000003
【００５６】
（実施例２〜１０および比較例１〜６）
表１に示すように各種パラメータを変更したこと以外、実施例１と同様に、実施例の電解コンデンサＡ２〜Ａ１０および比較例のコンデンサＢ１〜Ｂ６を作製し、評価した。結果を表１に示す。
表１の結果より、所定の条件を満たすことで、耐振動性に優れた簡易な構成の座板付きコンデンサを提供し得ることが理解できる。
【産業上の利用可能性】
【００５７】
本発明は、耐振動性が要求される電解コンデンサ（電解液型電解コンデンサ、ハイブリッド型電解コンデンサ、固体電解コンデンサなど）に利用することができる。
【符号の説明】
【００５８】
１０：コンデンサ本体
１１：陽極リード線
１１ａ：切り込み
１１ｂ：実装部
１２：陰極リード線
１２ａ：切り込み
１２ｂ：実装部
２０：座板
２１：基部
２１Ｓ：基部２１の外面
２１ｈａ：第１貫通孔
２１ｈｃ：第２貫通孔
２１ｇａ：第１溝
２１ｇｃ：第２溝
２２：支持壁
２２ａ〜２２ｄ：支柱
２２Ｔ：支柱２２ａ，ｂの先端
２２ｔ：支柱２２ｃ，ｄの先端
３０：座板付きコンデンサ
１００：ケース
１０３：環状の凹部
１０４：第１最大径部
１０５：第２最大径部
１１１：筒部
１１２：底壁
【図１】
2019189160.tif 000004
【図２】
2019189160.tif 000005
【図３】
2019189160.tif 000006
【図４】
2019189160.tif 000007
【図５】
2019189160.tif 000008
【図６】
2019189160.tif 000009
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
コンデンサ本体と、
前記コンデンサ本体が装着される座板と、を具備し、
前記コンデンサ本体は、円筒状の筒部と、前記筒部の第１の端部を閉じる底壁と、を有するケースと、前記筒部の前記第１の端部の反対側の第２の端部を閉じる封口部材と、を含み、
前記コンデンサ本体は、前記封口部材が前記座板側になるように配置されており、
前記座板は、基部と、前記基部から前記筒部の周面に沿って延びる支持壁と、を有し、
前記筒部は、前記封口部材と接触する部分に、前記封口部材に向かって凹み、前記筒部を取り囲む環状の凹部と、前記凹部よりも前記底壁側に配置された第１最大径部と、前記凹部よりも前記第２の端部側に配置された第２最大径部と、を有し、
前記第１最大径部の直径Ａと、前記第２最大径部の直径Ｂと、前記支持壁の内径Ｃとが、前記コンデンサ本体が前記座板に装着されていない状態で、Ａ＞Ｃ＞Ｂの関係を満たす、座板付きコンデンサ。
【請求項２】
前記座板の基部の外面から前記第１最大径部までの距離Ｅと、前記第１最大径部から前記支持壁の先端までの距離Ｆとが、０．１≦Ｆ／Ｅ≦１．０の関係を満たす、請求項１に記載の座板付きコンデンサ。
【請求項３】
前記コンデンサ本体が前記座板に装着されていない状態で、前記支持壁の先端の近くの位置における前記内径Ｃは、前記基部の近くの位置における前記内径Ｃよりも小さい、請求項１または２に記載の座板付きコンデンサ。
【請求項４】
前記支持壁が、２つ以上の支柱を有し、
前記コンデンサ本体の軸方向に垂直な前記支持壁の断面において、前記２つ以上の支柱が前記断面の中心に対して点対称に配置されている、請求項１〜３のいずれか１項に記載の座板付きコンデンサ。
【請求項５】
前記支持壁が、偶数個の支柱を有し、
前記コンデンサ本体の軸方向に垂直な前記支持壁の断面において、前記偶数個の支柱の内の２つの支柱が互いに正対するように配置されている、請求項１〜３のいずれか１項に記載の座板付きコンデンサ。
【請求項６】
前記直径Ａが、１０ｍｍ以下である、請求項１〜５のいずれか１項に記載の座板付きコンデンサ。
【手続補正２】
【補正対象書類名】明細書
【補正対象項目名】０００７
【補正方法】変更
【補正の内容】
【０００７】
本発明の一側面に係る座板付きコンデンサは、コンデンサ本体と、前記コンデンサ本体を保持する座板と、を具備する。前記コンデンサ本体は、ケースと封口部材とを含む。前記ケースは、円筒状の筒部と、前記筒部の第１の端部を閉じる底壁と、を有する。前記封口部材は、前記筒部の前記第１の端部の反対側の第２の端部を閉じる。コンデンサ本体は、封口部材が座板側になるように配置される。前記座板は、基部と、前記基部から前記筒部の周面に沿って延びる支持壁と、を有する。前記筒部は、前記封口部材と接触する部分に、前記封口部材に向かって凹み、前記筒部を取り囲む環状の凹部と、前記凹部よりも前記底壁側に配置された第１最大径部と、前記凹部よりも前記第２の端部側に配置された第２最大径部と、を有する。前記第１最大径部の直径Ａと、前記第２最大径部の直径Ｂと、前記支持壁の内径Ｃとが、前記コンデンサ本体が前記座板に装着されていない状態で、Ａ＞Ｃ＞Ｂの関係を満たす。
【手続補正３】
【補正対象書類名】明細書
【補正対象項目名】００１０
【補正方法】変更
【補正の内容】
【００１０】
本発明の一実施形態に係る座板付きコンデンサは、コンデンサ本体と、コンデンサ本体を保持する座板とを具備する。コンデンサ本体は、円筒状のケースを具備する。円筒状のケース内にはコンデンサ素子が収容されている。特に限定されないが、円筒状のケースを具備するコンデンサ本体は、通常、捲回型コンデンサ素子を具備する。逆に、捲回型コンデンサ素子を具備するコンデンサ本体のケースは、通常、円筒状と見なせる。ケース内には、必要に応じて、電解質塩を含み得る液体が収容されている。
【手続補正４】
【補正対象書類名】明細書
【補正対象項目名】００１２
【補正方法】変更
【補正の内容】
【００１２】
円筒状には略円筒状が含まれる。すなわちケースは、厳密な意味における円筒状である必要はなく、コンデンサ本体の軸方向（以下、Ｚ方向と称する。）に垂直な断面（例えば高さ方向の中央における断面）が、略円形であれば円筒状であると見なされる。略円形とは、例えば円形度が０．９５以上、好ましくは０．９９以上の形状である。なお、以下、Ｚ方向に垂直な断面をＸＹ断面と称する。
【手続補正５】
【補正対象書類名】明細書
【補正対象項目名】００１３
【補正方法】変更
【補正の内容】
【００１３】
ケースは、筒部と、筒部の一方の端部を閉じる底壁とを具備する。筒部の他方の端部（以下、開口端部と称する。）は封口部材で閉じられ、座板側に配置される。筒部は、封口部材と接触する部分に、封口部材に向かって凹み、筒部を取り囲む環状の凹部を有する。環状の凹部は、封口部材をケースに固定するための筒部の絞り、開口端部のかしめ（カール）などの加工により形成される。円筒状のケースは、一般に有底金属缶として供給される。有底金属缶は、アルミニウム、アルミニウム合金、ステンレス鋼などの金属で形成され得る。有底金属缶の外表面には、所望の機能を有する表層（例えば酸化物層）を形成してもよい。
【手続補正６】
【補正対象書類名】明細書
【補正対象項目名】００１５
【補正方法】変更
【補正の内容】
【００１５】
ケースの筒部は、環状の凹部よりも底壁側に配置される第１最大径部と、環状の凹部よりも開口端部側に配置される第２最大径部とを有する。すなわち、筒部の直径は、Ｚ方向に沿って一様とするのではなく、僅かに変化させることが必要である。
【手続補正７】
【補正対象書類名】明細書
【補正対象項目名】００１６
【補正方法】変更
【補正の内容】
【００１６】
第１最大径部とは、環状の凹部よりも底壁側において、円形もしくは略円形のＸＹ断面の直径（略円形の場合は最大直径）が最大となる部位である。一方、第２最大径部とは、環状の凹部よりも開口端部側において、円形もしくは略円形のＸＹ断面の直径（略円形の場合は最大直径）が最大となる部位である。
【手続補正８】
【補正対象書類名】明細書
【補正対象項目名】００２５
【補正方法】変更
【補正の内容】
【００２５】
コンデンサ本体が座板に装着されていない状態では、支持壁の先端近くでの支持壁の内径Ｃを、基部近くでの支持壁の内径Ｃより小さくしてもよい。これにより、支持壁自身の振動が顕著に抑制される。また、コンデンサ本体が、支持壁からより大きな圧力（外力）を受けるとともに、より大きなアンカー効果が発現する。よって、座板付きコンデンサの耐振動性が大きく高められる。
【手続補正９】
【補正対象書類名】明細書
【補正対象項目名】００３０
【補正方法】変更
【補正の内容】
【００３０】
支持壁が、偶数個の支柱を有する場合、支持壁のＸＹ断面において、偶数個の支柱の内の２つの支柱が互いに正対するように配置されていることが好ましい。
【手続補正１０】
【補正対象書類名】明細書
【補正対象項目名】００４９
【補正方法】変更
【補正の内容】
【００４９】
封口部材は、絶縁性物質であればよい。絶縁性物質としては弾性体が好ましい。ゴムなどの弾性体を含む封口部材を用いることで、高い封止性を確保することができる。高い耐熱性が得られ易い観点からは、シリコーンゴム、フッ素ゴム、エチレンプロピレンゴム、クロロスルホン化ポリエチレンゴム（ハイパロン（商標）ゴムなど）、ブチルゴム、イソプレンゴムなどが好ましい。
【国際調査報告】
2019189160.tif 000010
2019189160.tif 000011
2019189160.tif 000012
2019189160.tif 000013